(57)【要約】【課題】安価に提供でき、又バチ操作や音程に支障や悪影響を及ぼすことなく、音を小さく、低減できるようにする。【解決手段】胴１の両面を板２で塞ぐ。この板２の外側に弾性質の面状材４を重合する。この面状材４を介して表皮５と裏皮９を張る。この場合、駒７を配置する表皮５の下側に、鉄板１０を張るのでも良い。又表皮５の下側の弾性質の面状材４を、糸６に沿って駒７と京口８までの間に帯状に張る中央片４ａと、この中央片４ａ以外の表皮５の下側部分の面状材４ｂとで形成し、中央片４ａを面状材４ｂより軟質状に形成するのでも良い。更に本発明は、板２と弾性質の面状材４との間にフェルト１２の層を形成し、又弾性質の面状材４の全面に布１３を張り、この布１３を介して表皮５と裏皮９を張るのでも良い。【選択図】      図１
2004184801.tif 000002
【特許請求の範囲】
【請求項１】
胴の両面が板で塞がれ、この板の外側に弾性質の面状材が重合され、この面状材を介して表皮と裏皮が張られていることを特徴とする減音機能付き三味線。
【請求項２】
請求項１記載の減音機能付き三味線であって、駒が配置される表皮の下側に鉄板が張られていることを特徴とする減音機能付き三味線。
【請求項３】
請求項１又は２記載の減音機能付き三味線であって、表皮の下側の弾性質の面状材が、糸に沿って駒と京口までの間に帯状に張られている中央片と、この中央片以外の表皮の下側部分の面状材とで形成され、中央片が、それ以外の表皮の下側部分の面状材より軟質状に形成されていることを特徴とする減音機能付き三味線。
【請求項４】
請求項１乃至３の何れかに記載の減音機能付き三味線であって、板と弾性質の面状材との間にフェルトの層が形成され、又弾性質の面状材の全面に布が張られ、この布を介して表皮と裏皮が張られていることを特徴とする減音機能付き三味線。
【発明の詳細な説明】
【０００１】
【発明の属する技術分野】
本発明は、三味線に関し、更に詳しくは音を小さく、低減できるよう形成した減音機能付き三味線に関するものである。
【０００２】
【従来の技術】
従来、三味線の音を小さくする技術としては、例えば三味線用の減音具がある。この減音具は、糸を表皮に向けて押し下げる押圧手段を備えて構成されている（例えば特許文献１参照）。
【０００３】
【特許文献１】
特開平１１ー２２４０８３号公報
【０００４】
【発明が解決しようとする課題】
ところで三味線は、楽器の中でも比較的音が大きい部類に入るため、練習時（稽古時）の音が近所迷惑になることがある。従って従来、三味線を練習するときは、時間や場所を選ぶ必要があり、練習に大きな制約があった。それ故従来、練習用として、音を小さく、低減できる三味線の出現が望まれていた。
而してこの場合、構造が複雑になると値段が高くなるから、簡単な構造で安価に提供でき、又バチ操作に支障を与えることなく、しかも音程に悪影響を与えることがないよう、形成されているのが望ましい。
【０００５】
本発明は、このような従来の実情に鑑み、提案されたものである。
従って本発明の技術的課題は、安価に提供でき、バチ操作や音程に支障や悪影響を及ぼすことなく、音を小さく、低減できるよう形成した減音機能付き三味線を提供することにある。
【０００６】
【課題を解決するための手段】
本発明は、上記の課題を解決するために、次のような技術的手段を採る。
【０００７】
即ち本発明は、図１等に示されるように、胴１の両面が板２で塞がれ、この板２の外側に弾性質の面状材４が重合され、この面状材４を介して表皮５と裏皮９が張られていることを特徴とする（請求項１）。
【０００８】
ここで、弾性質の面状材４としては、例えばシート状に形成されている天然ゴム、合成ゴム、軟質性の樹脂材等がある。
【０００９】
又本発明の場合は、駒７が配置される表皮５の下側に鉄板１０が張られているのが好ましい（請求項２）。
【００１０】
なぜならこれによると、鉄板１０によって駒７を介して表皮５に伝わる糸６の振動を低減でき、一層、音を小さく、低くできるからである。ここで、駒７が配置される表皮５の下側とは、駒７の真下だけではなく、周辺位置を含むものである。
【００１１】
又本発明は、表皮５の下側の弾性質の面状材４が、糸６に沿って駒７と京口８までの間に帯状に張られている中央片４ａと、この中央片４ａ以外の表皮５の下側部分の面状材４ｂとで形成され、中央片４ａが、それ以外の表皮５の下側部分の面状材４ｂより軟質状に形成されているのが好ましい（請求項３）。
【００１２】
なぜならこれによると、糸６の直下に設けられる軟質状の中央片４ａで、空気を介して伝わる糸６の振動を低減でき、中央片４ａ以外の表皮５の下側部分の面状材４ｂでバチを違和感無く衝止できるからである。
【００１３】
又本発明は、板２と弾性質の面状材４との間にフェルト１２の層が形成され、又弾性質の面状材４の全面に布１３が張られ、この布１３を介して表皮５と裏皮９が張られているのが好ましい（請求項４）。
【００１４】
なぜならこれによると、フェルト１２と布１３によって一層、音を小さく低くできるからである。なお布１３としては、例えば天竺木綿等の木綿織物や、絹織物、フランネルや羅紗等の毛織物がある。
【００１５】
【発明の実施の形態】
以下、本発明の好適な一実施形態を添付図面に従って説明する。
【００１６】
本発明品は、図１等に示されるように、胴１の両面が板２で塞がれている。板２は、胴枠３の上下端より一段低い位置に、周囲が胴枠３の内面に接して両面の全面に張られている。
【００１７】
４は、板２の外側に重合されている弾性質の面状材である。表皮５の下側の弾性質の面状材４は、糸６に沿って駒７と京口８までの間に帯状に張られている中央片４ａと、この中央片４ａ以外の表皮５の下側部分の面状材４ｂとで形成され、中央片４ａは、それ以外の表皮５の下側部分の面状材４ｂより軟質状に形成されている。又中央片４ａは、この実施形態では柔軟質の衝撃吸収材（商品名、ソルボセイン）で形成され、それ以外の表皮５の下側部分の面状材４ｂと、裏皮９の内側に重合されている面状材４は天然ゴムで形成されている。中央片４ａと、表皮５の下側部分の面状材４ｂの厚さは、この実施形態では夫々３ｍｍであり、裏皮９の内側の面状材４の厚さは、５ｍｍに選定されている。表皮５と裏皮９は、例えば犬の皮が使用されている。
【００１８】
又この実施形態の本発明品は、駒７が配置される表皮５の下側に、鉄板１０が張られている。この鉄板１０は、厚さが４ｍｍに選定され、駒７の真下だけではなくその周辺を含めて平面視で長方形状に張られている。１１は、厚さ調節用の布片である。
【００１９】
又本発明は、板２と弾性質の面状材４との間にフェルト１２の層が形成されている。このフェルト１２は、厚さが２ｍｍに選定されている。又この実施形態の本発明は、弾性質の面状材４の全面に布１３が張られ、この布１３を覆うように表皮５と裏皮９が張られている。布１３は、この実施形態では天竺木綿が使用されている。なお、１４は棹であり、１５は根緒である。
【００２０】
次に本発明品の作用を説明する。
【００２１】
本発明品は、糸６の振動や、糸６にバチが当たって生じるバチ音が空気の振動として表皮５に伝わると、弾性質の面状材４で吸収される。特にこの実施形態の場合は、糸６の直下に設けられている軟質状の中央片４ａや、フェルト１２によって音が吸収され、その結果音が小さくなる。又稽古時に、バチが糸６から滑って表皮５に当たっても、中央片４ａ以外の表皮５の下側部分に張られている硬めの面状材４ｂがバチを違和感無く衝止する。又駒７を介して表皮５に伝わる糸６の振動は、鉄板１０で低減され、音が小さく、低くなる。
【００２２】
以上の処において、本発明は、図６、図７に示されるように、板２に弾性質の面状材４が直接重合され、又面状材４に直接皮が張られて、フェルト１２や布１３が省略されているのでも良い。又本発明は、例えば発泡スチロール板等の多孔質性の衝撃吸収材が面状材４に重合されて形成されるのでも良い。
【００２３】
【発明の効果】
以上説明したように本発明は、胴の両面を板で塞ぎ、この板の外側に弾性質の面状材を重合し、この面状材を介して表皮と裏皮を張っているものである。
【００２４】
従って本発明品の場合は、構成が簡単であるから安価に提供でき、板や弾性質の面状材によって、バチ操作や音程に支障や悪影響を及ぼすことなく、音を小さく、低減できる
【図面の簡単な説明】
【図１】本発明三味線の好適な一実施形態を示す一部を切欠した要部斜視図である。
【図２】同上三味線の一部を切欠した要部平面図である。
【図３】図２のＩＩＩ―ＩＩＩ線における要部拡大縦断面図である。
【図４】図２のＩＶ―ＩＶ線における要部拡大縦断面図である。
【図５】図２のＶ―Ｖ線における要部拡大縦断面図である。
【図６】同上三味線の他の実施形態を示す一部を切欠した要部斜視図である。
【図７】図６の実施形態の要部縦断面図である。
【符号の説明】
１    胴
２    板
３    胴枠
４    弾性質の面状材
４ａ  中央片
４ｂ  中央片以外の表皮の下側部分の面状材
５    表皮
６    糸
７    駒
８    京口
９    裏皮
１０  鉄板
１１  布片
１２  フェルト
１３  布
１４  棹
１５  根緒
【図１】
2004184801.tif 000003
【図２】
2004184801.tif 000004
【図３】
2004184801.tif 000005
【図４】
2004184801.tif 000006
【図５】
2004184801.tif 000007
【図６】
2004184801.tif 000008
【図７】
2004184801.tif 000009